(57)【要約】２段階測距を用いる無線技術において拡散チャネル符号選択を改良するように機能することのできる、様々な実施形態について記載する。例えば、一部の実施形態では、各ネットワークノード（１１１，１１２）にて多くの拡散符号を再利用することが可能であり、各リモートユニットに利用可能な符号数を増大することによって、衝突率を低下させることができる。単に無作為に拡散チャネル符号を選択するのではなく、一部の実施形態では、リモートユニット（１０１〜１０３）は、パイロット信号強度、リモートユニットの位置、リモートユニットのモビリティレベル、およびリモートユニットに関連した優先度クラスなど、１つ以上の考慮に基づき、拡散チャネル符号を選択する。実施形態によっては、ネットワークノードは拡散符号を複数のグループに分け、次いで、リモートユニットが選択した符号に関連したグループに基づき、そのリモートユニットにリンク帯域幅を割り当てることが可能である。
2009528724.tif 000002
【特許請求の範囲】
【請求項１】
拡散チャネル符号選択用の方法であって、
リモートユニットがネットワークノードからシグナリングを受信することと、
受信したシグナリングの信号強度、リモートユニットの現在の位置、リモートユニットの現在のモビリティレベル、およびリモートユニットに関連した現在の優先度クラスのうちの１つ以上の特性に基づき、リモートユニットが拡散チャネル符号を選択することと、
リモートユニットが拡散チャネル符号を用いて初期アクセス信号を送信することと、
からなる方法。
【請求項２】
リモートユニットがネットワークノードからシグナリングを受信することは、リモートユニットが、リモートユニットがネットワークノードへのアクセスを行うためにいずれの拡散チャネル符号を用いるかを示すシグナリングを受信することを含む請求項１に記載の方法。
【請求項３】
リモートユニットがネットワークノードからシグナリングを受信することは、リモートユニットが、リモートユニットがネットワークノードへのアクセスを行うために用いることのできる拡散チャネル符号のグループ分けを示すシグナリングを受信することを含む請求項２に記載の方法。
【請求項４】
リモートユニットが拡散チャネル符号を選択することは、示されたグループ分けのうちの決定したグループからリモートユニットが拡散チャネル符号を選択することを含み、前記決定したグループは、受信したシグナリングの信号強度、リモートユニットの現在の位置、リモートユニットの現在のモビリティレベル、およびリモートユニットに関連した現在の優先度クラスのうちの１つ以上の特性に基づき決定される、請求項３に記載の方法。
【請求項５】
リモートユニットが拡散チャネル符号を選択することは、リモートユニットが拡散チャネル符号および同拡散チャネル符号を用いる期間を選択することを含み、
リモートユニットが拡散チャネル符号を用いて初期アクセス信号を送信することは、リモートユニットが前記拡散チャネル符号を用いて前記期間に初期アクセス信号を送信することを含む、請求項１に記載の方法。
【請求項６】
拡散チャネル符号選択用の方法であって、
複数の拡散チャネル符号を複数の符号グループへ分けることと、
ネットワークノードが前記分けることによって生成した符号グループ分けを示すシグナリングを送信することと、
ネットワークノードが、前記複数の符号グループのうちの１つの符号グループの拡散チャネル符号を用いて、リモートユニットから初期アクセス信号を受信することと、
からなる方法。
【請求項７】
複数の拡散チャネル符号を複数の符号グループへ分けることは、
システム負荷レベルが負荷閾値より大きいか否かを判定することと、
システム負荷レベルが負荷閾値より大きいときには、システム負荷レベルが負荷閾値より大きくないときに形成されるよりも多い符号グループが形成されるように、前記複数の拡散チャネル符号を複数の符号グループへ分けることと、を含む請求項６に記載の方法。
【請求項８】
拡散チャネル符号選択用の方法であって、
複数の拡散チャネル符号を複数の符号グループへ分けることと、
ネットワークノードが、前記複数の符号グループのうちの１つの符号グループの拡散チャネル符号を用いて、リモートユニットから初期アクセス信号を受信することと、
リモートユニットが用いた拡散チャネル符号の符号グループに基づき、リモートユニットに一定の量のリンク帯域幅を割り当てることと、
からなる方法。
【請求項９】
前記複数の符号グループの各符号グループは、ネットワークノードからリモートユニットが受信した信号の信号強度のレベル、リモートユニットの現在の位置、リモートユニットの現在のモビリティレベル、およびリモートユニットに関連した現在の優先度クラスのうちのいずれかの特性または複数の特性の組み合わせに関連している請求項８に記載の方法。
【請求項１０】
トランシーバと、
同トランシーバに通信可能に結合された処理装置であって、
トランシーバを介してネットワークノードからシグナリングを受信することに適合し、
受信したシグナリングの信号強度、リモートユニットの現在の位置、リモートユニットの現在のモビリティレベル、およびリモートユニットに関連した現在の優先度クラスのうちの１つ以上の特性に基づき、拡散チャネル符号を選択することに適合し、かつ、
トランシーバを介し、拡散チャネル符号を用いて初期アクセス信号を送信することに適合した、処理装置と、
を備えるリモートユニット。
【発明の詳細な説明】
【技術分野】
【０００１】
本発明は通信に関する。詳細には、本発明は通信システムにおける拡散チャネル符号選択に関する。
【背景技術】
【０００２】
現在、３ＧＰＰ（３ｒｄ  Ｇｅｎｅｒａｔｉｏｎ  Ｐａｒｔｎｅｒｓｈｉｐ  Ｐｒｏｊｅｃｔ）および３ＧＰＰ２（３ｒｄ  Ｇｅｎｅｒａｔｉｏｎ  Ｐａｒｔｎｅｒｓｈｉｐ  Ｐｒｏｊｅｃｔ  ２）などの標準機構が、無線通信システム用の標準仕様を開発している（これらの団体には、それぞれ、ｈｔｔｐ：／／ｗｗｗ．３ｇｐｐ．ｏｒｇ／、ｈｔｔｐ：／／ｗｗｗ．３ｇｐｐ２．ｃｏｍ／を介して接触できる。）。詳細には、新たな物理層リンクの記述用の提案が開発されており、検討のために提示されている。一般に、拡散および２段階の距離測定（ｒａｎｇｉｎｇ）を用いる無線技術は、リモートユニットがその初期測距信号と共に用いる拡散チャネル符号を無作為に選択することに依存している。測距符号の数は限られており、同じ符号を用いてアクセスを行うユニット間の衝突が頻発するため、ユーザサービスの性能は低下し（例えば、アクセス遅延が大きくなり）、特に、プッシュ・ツー・トークなど時間の影響を受けやすいサービスでは、ユーザ体験が減退する。
【発明の開示】
【発明が解決しようとする課題】
【０００３】
したがって、それらの無線技術に適用可能な拡散チャネル符号選択用の改良された方法および装置を有することが望ましい。
【課題を解決するための手段】
【０００４】
２段階測距を用いる無線技術において拡散チャネル符号選択を改良するように機能することのできる、様々な実施形態について記載する。例えば、一部の実施形態では、各ネットワークノードにて多くの拡散符号を再利用することが可能であり、各リモートユニットに利用可能な符号数を増加させることによって、衝突率を低下させることができる。単に無作為に拡散チャネル符号を選択するのではなく、一部の実施形態では、リモートユニットは、パイロット信号強度、リモートユニットの位置、リモートユニットのモビリティレベル、およびリモートユニットに関連した優先度クラスなど、１つ以上の考慮に基づき、拡散チャネル符号を選択する。実施形態によっては、ネットワークノードは拡散符号をグループに分け、次いで、リモートユニットが選択した符号に関連したグループに基づき、そのリモートユニットにリンク帯域幅を割り当てることが可能である。
【発明を実施するための最良の形態】
【０００５】
開示の実施形態は、図１〜５を参照することによって、より完全に理解される。図１，２には、本発明の複数の実施形態による無線通信システム１００を示す。現在、ＯＭＡ（Ｏｐｅｎ  Ｍｏｂｉｌｅ  Ａｌｌｉａｎｃｅ）、３ＧＰＰ（３ｒｄ  Ｇｅｎｅｒａｔｉｏｎ  Ｐａｒｔｎｅｒｓｈｉｐ  Ｐｒｏｊｅｃｔ）、３ＧＰＰ２（３ｒｄ  Ｇｅｎｅｒａｔｉｏｎ  Ｐａｒｔｎｅｒｓｈｉｐ  Ｐｒｏｊｅｃｔ  ２）およびＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２などの標準機構が、無線通信システム用の標準仕様を開発している（これらの団体には、それぞれ、ｈｔｔｐ：／／ｗｗｗ．ｏｐｅｎｍｏｂｉｌｅａｌｌｉａｎｃｅ．ｃｏｍ、ｈｔｔｐ：／／ｗｗｗ．３ｇｐｐ．ｏｒｇ／、ｈｔｔｐ：／／ｗｗｗ．３ｇｐｐ２．ｃｏｍ／、ｈｔｔｐ：／／ｗｗｗ．ｉｅｅｅ８０２．ｏｒｇ／を介して連絡することができる。）。通信システム１００は、本発明を実装するように適切に修正された、１つ以上の３ＧＰＰ２技術によるアーキテクチャを有するシステムである。本発明の代替の実施形態は、次に限定されないが、３ＧＰＰ仕様書に記載の技術、ＩＥＥＥの８０２．ｘｘ（例えば、８０２．１６）の仕様書に記載の技術もしくはその両方など、他のまたは追加の技術を用いる通信システムに実装されてもよい。
【０００６】
通信システム１００を非常に一般化して示す、すなわち、ネットワークノード１１１，１１２、リモートユニット１０１〜１０３およびネットワーク１３０を含むように示す。図１，２にはシステム１００が動作するのに必要な全てのネットワーク機器が示されているのではなく、本明細書における実施形態の説明に特に関連するシステム構成要素および論理エンティティしか示されていないことが、当業者には認められる。例えば、実施形態によっては、ネットワーク１３０はＩＰ（インターネットプロトコル）ネットワークを表す場合もあり、ネットワークノード１１１，１１２と組み合わせられる、無線アクセスネットワーク（ＲＡＮ）またはアクセスネットワーク（ＡＮ）を表す場合もある。したがって、実施形態によっては、ネットワークノード１１１，１１２は、基地局トランシーバ（ＢＴＳ）、アクセスポイント（ＡＰ）や、基地局（ＢＳ）（ＢＴＳおよび基地局コントローラ（ＢＳＣ）を含む）およびＷＬＡＮ（無線ローカルエリアネットワーク）局（ＡＰ、ＡＰコントローラ／スイッチ、ＷＬＡＮスイッチのうちの１つ以上を含む）などの上位の装置またはそれらのうちの１つ以上を含む場合がある。しかしながら、図１または２には、これらの装置のいずれも詳細に示していない。
【０００７】
図２には、リモートユニット１０１およびネットワークノード１１１が、技術に応じた無線インタフェース１５０を介して通信を行っているように示す。リモートユニット、すなわちユーザ機器（ＵＥ）は、移動局（ＭＳ）と見なすことができる。しかしながら、リモートユニットは必ずしも移動体でも移動可能でもない。加えて、リモートユニット／ＵＥプラットフォームは、次に限定されないが、移動局（ＭＳ）、アクセスターミナル（ＡＴ）、端末装置、移動体デバイス、ゲーム装置、パーソナルコンピュータおよび携帯情報端末（ＰＤＡ）など、多種多様な民生電子プラットフォームを表すものとして知られている。詳細には、リモートユニット１０１は、処理装置１０５およびトランシーバ１０７を備える。実施形態によっては、リモートユニット１０１は、これに加えて、キーパッド（図示せず）、スピーカ（図示せず）、マイクロホン（図示せず）およびディスプレイ（図示せず）を備える場合がある。ＵＥにおいて用いられる処理装置、トランシーバ、キーパッド、スピーカ、マイクロホンおよびディスプレイは全て、当技術においてよく知られている。
【０００８】
一般に、トランシーバ、キーパッド、スピーカ、マイクロホンおよびディスプレイなどの構成要素はよく知られている。例えば、処理装置は、マイクロプロセッサ、マイクロコントローラ、メモリ装置、特定用途向け集積回路（ＡＳＩＣ）、および論理回路（これらに限定されず、また必ずしも必要ではないが）のうちの１つ以上などの基本的な構成要素を含むことはよく知られている。そのような構成要素は、通常、高度設計言語もしくは記述、コンピュータ命令、シグナリングフローチャート、および論理フローチャートのうちの１つ以上を用いて表現された、アルゴリズム、プロトコルまたはその両方を実装するように適合されている。
【０００９】
すなわち、高度記述、アルゴリズム、論理フロー、メッセージ／シグナリングフロー、およびプロトコル仕様のうちの１つ以上が与えられれば、当業者には、与えられた論理を実行する処理装置を実装するために利用可能な多くの設計・開発技術が認識される。したがって、リモートユニット１０１は、本明細書の記載にしたがって、本発明の複数の実施形態を実装するように適合された周知の装置を表す。
【００１０】
さらに、本発明の態様は様々な物理的な構成要素において、また様々な物理的な構成要素を通じて実装されてよく、必ずしも単一のプラットフォームの実装に限定されないことが、当業者には認められる。例えば、ネットワークの態様は、ネットワークノード１１１において、若しくは１つ以上のネットワークノード、ネットワーク１３０またはその両方を通じてなど、１つ以上のネットワーク装置において、または１つ以上のネットワーク装置を通じて実装されてよい。
【００１１】
本発明による実施形態の動作は、ほぼ以下のように行われる。リモートユニット１０１の処理装置１０５は、無線インタフェース１５０およびトランシーバ１０７を介して、ネットワークノード１１１からシグナリングを受信する。大部分の実施形態では、受信されるシグナリングは、ネットワークノード１１１のパイロットチャネルを介して伝達されるパイロット情報である。拡散および２段階測距を用いる無線技術では、従来技術のリモートユニットは、その初期測距信号と共に用いる拡散チャネル符号を無作為に選択する。対照的に、リモートユニット１０１の処理装置１０５は、特定の実施形態では、１つ以上の考慮に基づき拡散チャネル符号を選択する。それらの考慮には、受信したシグナリングの信号強度、リモートユニットの現在の位置、リモートユニットの現在のモビリティレベル、およびリモートユニットに関連した現在の優先度クラスのうちの１つ以上が含まれる。拡散チャネル符号を選択すると、次いで、処理装置１０５は、トランシーバ１０７および無線インタフェース１５０を介して、選択した拡散チャネル符号を用いて初期アクセス信号を送信する。この初期アクセス信号は、例えば、測距信号の形態を取ってもよく、ネットワークノードへのアクセスを行うのに必要な、技術に応じた他のシグナリングの形態を取ってもよい。
【００１２】
どの種類の拡散チャネル符号が選択され用いられるかも、技術毎に異なる。拡散チャネル符号は直交であっても疑似直交であってもよいが、ＩＥＥＥ  ８０２．１６ｅにより指定される拡散符号のように、いずれである必要もない。別の例として、拡散チャネル符号は、「通信システムにおけるランダムアクセスチャネル用のプリアンブルシーケンス（ＰＲＥＡＭＢＬＥ  ＳＥＱＵＥＮＣＩＮＧ  ＦＯＲ  ＲＡＮＤＯＭ  ＡＣＣＥＳＳ  ＣＨＡＮＮＥＬ  ＩＮ  Ａ  ＣＯＭＭＵＮＩＣＡＴＩＯＮ  ＳＹＳＴＥＭ）」と題する、２００６年１月１７日に出願の米国仮出願６０／７５９，６９７号に記載のチュ（Ｃｈｕ）シーケンスに基づいてもよい。これを引用によって本明細書に援用する。
【００１３】
一部の実施形態では、ネットワークノード１１１は、自身がリモートユニットに利用可能とする拡散チャネル符号を複数の符号グループへ分け、使用可能な拡散チャネル符号と、各々が関連している符号グループとの両方を示す表示を送信する。この情報は、ネットワークノード１１１のパイロットチャネルを介してブロードキャストされリモートユニット１０１によって受信される。拡散チャネル符号と、その関連している符号グループとをリモートユニットに示す、非常に多くの手法が存在することは明らかである。このシグナリングの特定のフォーマットは、当然のことながら、システムを通じて用いられる、また特定のネットワークノード自身によって用いられる符号セットの性質および識別情報に関し、リモートユニットが既にどれほどの情報を有するかに応じて異なる。
【００１４】
したがって、リモートユニット１０１は、リモートユニットがネットワークノード１１１へのアクセスを行うためにいずれの拡散チャネル符号を用いることができるかと、関連する符号のグループ分けとを示すシグナリングを受信する。これらの実施形態では、次いで、処理装置１０５が、用いる拡散チャネル符号の選択される特定の符号グループを決定する。実施形態によっては、リモートユニット１０１は、ネットワークノード１１１からの受信される信号の強度（例えば、パイロット信号強度）、リモートユニット１０１の現在の位置、リモートユニット１０１の現在のモビリティレベル、およびリモートユニット１０１に関連した現在の優先度クラスのうちの１つ以上など、１つ以上の考慮に基づき、特定の符号グループを決定してよい。
【００１５】
この決定は、個々の符号グループが対象とすることを意図されているリモートユニット特性によって導かれてもよい。例えば、１つの符号グループは、特定の優先度クラス、すなわち、特定のサービスレベルに関連しているリモートユニットを対象とする。これによって、例えば、プレミアムレベルサービスを購入したユーザまたは緊急事態に対応しているユーザについては、符号を「考慮から外す（ｓｅｔ  ａｓｉｄｅ）」ことが可能となる。
【００１６】
特定の領域のリモートユニットについては、符号グループも対象とされ得る。例えば、符号グループは、ネットワークノード１１１の周囲の領域１２５の内側（または外側）のリモートユニットを対象とすることができる。あるいは、符号グループは、競技場、コンベンションセンター、公道、ショッピングセンター、講堂、会議室などの周囲の領域など、特定の関心領域を対象とすることができる。また、符号グループは、特定のレベルのモビリティを有するリモートユニットを対象とすることもできる。例えば、１つの符号グループはモビリティの低いユニットを対象とし、別の符号グループがモビリティの高いユニットを対象としてもよい。
【００１７】
個々の符号グループが対象とすることを意図され得る別の特性は、リモートユニットの受信信号強度であり、これは、リモートユニットによって受信されるパイロットシグナリングなど、ネットワークノードからのシグナリングの信号強度である（信号強度は、本記載全体を通じ、一般に、信号品質測定値、ＣＱＩ（チャネル品質インジケータ）の測定値または両方の様々な組み合わせから導かれるユニークなメトリックなど、用いられる様々な形態の信号測定値を表す。）。リモートユニットの受信信号強度を対象とする符号グループの一例は、ネットワークノード１１１が特定の閾値より大きい受信信号強度を有するユニット用の１つの符号グループと、特定の閾値未満の受信信号強度を有するユニットの用の別の符号グループとを対象とすることである。
【００１８】
実際、このとき、ネットワークノード１１１は、カバレッジ領域１２５（概略）用の１つの符号グループと、カバレッジ領域１２１の残る部分用の別の符号グループとを対象とすることが可能である（なお、上述のように、リモートユニットの位置を用いて同様の効果が得られる。）。特定のカバレッジ領域を対象とする符号グループへ拡散チャネル符号を分けることによって、今日利用可能であると考えられるものを超える符号再利用を可能とすることができる。例えば、無線カバレッジ領域１２５を対象とする１つ以上の符号グループの拡散チャネル符号は、例えば、ネットワークノード１１１に隣接している無線カバレッジ領域を用いるネットワークノードによって再利用されることが可能である。したがって、カバレッジ領域１２５，１２６間の干渉は問題とならないので、ネットワークノード１１１，１１２はそれらの領域を対象とする拡散チャネル符号を再利用することが可能である。可能性としては、このとき、拡散チャネル符号のサブセットについて、１：１の再利用パターンを用いることができる。
【００１９】
これに加えて、またはこれに代えて、ネットワークノード１１１はシステム負荷レベルを監視し、現在のシステム負荷に基づき拡散チャネル符号を複数の符号グループへ分けてもよい。例えば、システム負荷レベルが負荷閾値より大きいとき、ネットワークノード１１１は、より多くの符号グループへ拡散チャネル符号を分けることができる。用いられ得るシステム負荷レベルのインジケータの例には、符号／符号グループ当りの衝突数、符号／符号グループ当りの送信数（符号／符号グループの利用と等しい）、異なるセルグループのセルに関係するユーザ数の最近の変化（パターンにおける有意な変化の予測／予想）などが含まれる。システム負荷のレベルを考慮することによって求められる利益は、システムが、より多くの符号グループに分け、適切な符号グループをリモートユニットに選択させることにより、リモートユニットが必要とする資源割当の大きさを示すリモートユニットからの情報を用いることによって、キャパシティを節約できることである。換言すると、２つのグループしか存在しない場合、ネットワークは、ネットワークノードに極めて近い移動体に対しても、それらがセル内の中間程の距離にあると考えるので、依然として、相当過剰に資源を割り当ててしまう。しかしながら、異なる１０のグループに分けることによって、ネットワークは、タワーに極めて近いユーザがセル／セクタの最も近い方から１／１０程度内にあることを認識できるので、相当小さな割当を用いることが可能である。より多くのグループへ符号を分けることの悪い面は、別のグループが充分に利用されていないのに１つのグループ内により多くの衝突が発生する可能性が存在することである。しかしながら、これについては、様々な時間間隔で複数の符号グループ間にユニットを分けることによって対処することが可能である。
【００２０】
したがって、実施形態によっては、リモートユニット１０１は、ネットワークノード１１１からの受信した信号の強度、リモートユニット１０１の現在の位置、リモートユニット１０１の現在のモビリティレベル、およびリモートユニット１０１に関連した現在の優先度クラスのうちの１つ以上など、１つ以上の考慮に基づき、特定の符号グループを決定してよい。上述のように、この決定は、個々の符号グループが対象とすることを意図されているリモートユニット特性によって導かれてもよい。また、ネットワークノード１１１は、符号および符号グループ分けに加え、符号グループがどの特性を対象とすることが意図されているかについて、リモートユニット１０１に示してもよい。
【００２１】
この受信情報または符号グループの対象特性に関する何らかの所定の情報を用いて、リモートユニット１０１は、拡散チャネル符号の選択される特定の符号グループを決定する。一部の実施形態では、処理装置１０５は、単に、決定したグループに関連した拡散チャネル符号から無作為に拡散チャネル符号を選択する。したがって、様々な考慮に基づく拡散チャネル符号の選択は、特定の考慮に基づき符号グループを決定し、次いで、決定した符号グループから拡散チャネル符号を（恐らくは無作為に）選択することによって実行され得る。
【００２２】
符号グループの対象となるリモートユニット特性の複数の例について、上述において記載した。すなわち、リモートユニット１０１は、利用可能な符号グループが対象とする適用可能な特性または複数の特性の組み合わせを考慮して、符号の選択される符号グループを決定する。例えば、リモートユニット１０１は、リモートユニットの現在の位置（例えば、ＧＰＳによって）により、または、ユーザがプレミアムサービスレベルを購入したことにより、１つの符号グループから選択を行うと決定してもよい。別の実施形態では、リモートユニット１０１は、ネットワークノード１１１のパイロット信号強度が閾値より大きく、リモートユニット１０１が現在低レベルのモビリティを有することにより、特定の符号グループから選択を行うと決定してもよい。別の符号グループは、パイロット信号強度が閾値未満である場合、あるいは、リモートユニット１０１がモビリティ閾値を超えるモビリティレベルを有する場合に、選択用に決定されてもよい。これは、拡散符号を分けるために、符号グループが対象とする特性の多くの可能な組み合わせのうちの一例に過ぎない。
【００２３】
しかしながら、実施形態によっては、リモートユニットは、適用可能なリモートユニット特性によって対象とされる符号グループから拡散チャネル符号を選択することに組み込まれない場合がある。例えば、リモートユニット１０１は、その現在の状況に適用する符号グループを決定し、その符号グループから用いる符号を選択し、その選択した符号が別の装置によって用いられていると判定する場合がある。そのような場合、リモートユニット１０１は、決定した符号グループから別の符号を選択してもよく、全く別の符号グループから符号を選択してもよい。
【００２４】
既に記載した実施形態に組み込まれ得る他の幾つかの実施形態に特有の態様は、以下の通りである。グループへ分けられた拡散チャネル符号は、符号として一意であるが、共通の変調・符号化の種類を共有することができる。したがって、この場合、リモートユニットは、拡散チャネル符号を選択するとき、冗長性のレベルまたは変調／データレートの種類を選択するのではない。
【００２５】
拡散チャネル符号を選択することに加えて、一部の実施形態では、リモートユニットは、拡散チャネル符号と、その拡散チャネル符号を用いる期間とを選択する。換言すると、リモートユニットは、符号および時間の組み合わせ（例えば、符号および開始時間）の群から、符号および時間の組み合わせを選択する。すなわち、同じ符号であっても異なる使用期間に関連した符号は異なるグループに存在し得るという点を除き、符号のみの場合と同様に、利用可能な符号および時間の組み合わせが複数のグループへ分けられる。選択される符号および時間の組み合わせの群の決定は、符号グループについて本明細書に記載したように行われる。
【００２６】
リモートユニット１０１によって選択された拡散チャネル符号を用いて、ネットワークノード１１１がリモートユニット１０１から初期アクセス信号を受信した後、ネットワークノード１１１は、用いられる拡散チャネル符号の符号グループに基づき、或る量のリンク帯域幅（順方向リンク帯域幅、逆方向リンク帯域幅またはその両方）をリモートユニットに割り当てる。例えば、符号グループが、リモートユニットによって受信された信号の、閾値より大きい信号強度のレベルを対象とし、リモートユニットが、その符号グループの拡散チャネル符号を用いる場合、ネットワークノードはそのリモートユニットに対し、他の場合に割り当てられるより小さな量のリンク帯域幅を割り当てる。ここで、ネットワークノードは、リモートユニットの用いる拡散チャネル符号によって示されるように、リモートユニットが閾値より大きい信号強度を有するので、より小さな量のリンク帯域幅で充分であると仮定することができる。この技術を用いて、一定の状況では、より少ない帯域幅が用いられ、システムのキャパシティを改良することができる。
【００２７】
図３は、本発明の複数の実施形態によるネットワークによって実行される機能の論理フローチャートである。論理フロー３００が開始し（３０１）、ネットワークは、複数の拡散チャネル符号を複数の符号グループへ分ける（３０３）。次いで、ネットワークは、分けることによって生成された符号グループ分けを示すシグナリングを送信し（３０５）、複数の符号グループのうちの１つの符号グループの拡散チャネル符号を用いて、リモートユニットから初期アクセス信号を受信する。次いで、論理フロー３００は終了する（３０９）。
【００２８】
図４は、本発明の複数の実施形態によるリモートユニットによって実行される機能の論理フローチャートである。論理フロー４００が開始し（４０１）、リモートユニットはネットワークノードからシグナリングを受信する（４０３）。リモートユニットは、受信したシグナリングの信号強度、リモートユニットの現在の位置、リモートユニットの現在のモビリティレベル、およびリモートユニットに関連した現在の優先度クラスのうちの１つ以上の特性に基づき、拡散チャネル符号を選択する（４０５）。次いで、リモートユニットは、その拡散チャネル符号を用いて初期アクセス信号を送信する（４０７）。次いで、論理フロー４００は終了する（４０９）。
【００２９】
図５は、本発明の複数の実施形態によるネットワークによって実行される機能の論理フローチャートである。論理フロー５００が開始し（５０１）、ネットワークは、複数の拡散チャネル符号を複数の符号グループへ分ける（５０３）。次いで、ネットワークは、複数の符号グループのうちの１つの符号グループの拡散チャネル符号を用いて、リモートユニットから初期アクセス信号を受信する（５０５）。これに応じて、ネットワークは、リモートユニットが用いた拡散チャネル符号の符号グループに基づき、リモートユニットに或る量のリンク帯域幅を割り当てる（５０７）。次いで、論理フロー５００は終了する（５０９）。
【図面の簡単な説明】
【００３０】
【図１】本発明の複数の実施形態による無線通信システムの図。
【図２】本発明の複数の実施形態による、図１の無線通信システムのブロック図。
【図３】本発明の複数の実施形態によるネットワークによって実行される機能の論理フローチャート。
【図４】本発明の複数の実施形態によるリモートユニットによって実行される機能の論理フローチャート。
【図５】本発明の複数の実施形態によるネットワークによって実行される機能の論理フローチャート。
【図１】
2009528724.tif 000003
【図２】
2009528724.tif 000004
【図３】
2009528724.tif 000005
【図４】
2009528724.tif 000006
【図５】
2009528724.tif 000007
【国際調査報告】
2009528724.tif 000008
2009528724.tif 000009
2009528724.tif 000010